(57)【要約】      （修正有）【課題】交換が容易でメンテナンスに便利なパッシブ光ファイバーネットワーク装置を提供する。【解決手段】パッシブ光ファイバーネットワーク装置は、第一の側壁に設置された第一の穴２２を含むケーシング２と、ケーシング内に設置され、ホットプラグトランシーバーインタフェース４２が設置され且つ第一の穴から外部に露出する回路基板４と、回路基板に設置され、回路基板の複数の第一の電気接続パッドに接続された複数本の電気接続線６１が設置され、且つケーシングの第一の側壁に設置された光信号トランシーバーを含む光信号送受信素子６と、第二の側壁に設置され、回路基板の第二の電気接続パッドに接続された信号線を有するＲＦ信号コネクタ９とを備える。【選択図】図１
0003227432.tif 000002
【実用新案登録請求の範囲】
【請求項１】
パッシブ光ファイバーネットワーク装置であって、
第一の穴を含むケーシングと、
該ケーシング内に設置され、ホットプラグトランシーバーインタフェースが設置され且つ該第一の穴から露出する回路基板と、
該回路基板に設置され、該回路基板の複数の第一の電気接続パッドに接続された複数本の電気接続線が設置され、且つ該ケーシングの第二の側壁に設置された光信号トランシーバーを含む光信号送受信素子と、
該第二の側壁に設置され、該回路基板の第二の電気接続パッドに接続された信号線を有するＲＦ信号コネクタとを備えることを特徴とする前記パッシブ光ファイバーネットワーク装置。
【請求項２】
該光信号送受信素子は光信号伝送線を介して該光信号トランシーバーに接続されることを特徴とする請求項１に記載のパッシブ光ファイバーネットワーク装置。
【請求項３】
該ホットプラグトランシーバーインタフェースはスモールフォームファクタープラガブルトランシーバー（ＳＦＰ：Ｓｍａｌｌ  ｆｏｒｍ−ｆａｃｔｏｒ  ｐｌｕｇｇａｂｌｅ  ｔｒａｎｓｃｅｉｖｅｒ）接続インタフェースを含むことを特徴とする請求項１に記載のパッシブ光ファイバーネットワーク装置。
【請求項４】
該ケーシングは第一の側壁を有し、該第一の穴が該第一の側壁に位置することを特徴とする請求項１に記載のパッシブ光ファイバーネットワーク装置。
【請求項５】
該光信号送受信素子はシングルファイバー三方向光信号送受信素子（Ｔｒｉｐｌｅｘｅｒ）を含むことを特徴とする請求項１に記載のパッシブ光ファイバーネットワーク装置。
【請求項６】
該光信号送受信素子はシングルファイバー双方向光信号送受信素子（Ｄｉｐｌｅｘｅｒ）を含むことを特徴とする請求項１に記載のパッシブ光ファイバーネットワーク装置。
【請求項７】
該第一の側壁の第二の穴に設置され、第一の端部が該ケーシングの内側に位置し、該光信号トランシーバーの設置に用いられ、第二の端部が該ケーシングの外側に位置し、外部システムの別の光伝送線コネクタに接続可能な光信号コネクタソケットをさらに備えることを特徴とする
請求項１に記載のパッシブ光ファイバーネットワーク装置。
【請求項８】
該光信号トランシーバーはシングルモード光ファイバピグテールコネクタ（Ｐｉｇｔａｉｌ  Ｓｕｂｓｃｒｉｂｅｒ  Ｃｏｎｎｅｃｔｏｒ／Ｓｔａｎｄａｒｄ  Ｃｏｎｎｅｃｔｏｒ：ＳＣ）を含むことを特徴とする
請求項１に記載のパッシブ光ファイバーネットワーク装置。
【請求項９】
該ＲＦ信号コネクタは、該第二の側壁の複数の第三の穴にリベット留め可能な複数の係合バンプをさらに含むことを特徴とする
請求項１に記載のパッシブ光ファイバーネットワーク装置。
【請求項１０】
該ＲＦ信号コネクタは、該第二の側壁の複数の第三の穴にリベット留め可能な複数の円弧状の係合バンプをさらに含むことを特徴とする
請求項１に記載のパッシブ光ファイバーネットワーク装置。
【請求項１１】
該第一の側壁と該第二の側壁は同一の側壁であることを特徴とする
請求項１に記載のパッシブ光ファイバーネットワーク装置。
【請求項１２】
パッシブ光ファイバーネットワーク装置であって、
第一の穴を有する第一の側壁を含むケーシングと、
該ケーシング内に設置された回路基板と、
該第一の穴内に設置され、第一の端部が該ケーシング内に位置し、第二の端部が該ケーシングの外に突出する光信号コネクタソケットと、
該回路基板に設置され、該回路基板の複数の第一の電気接続パッドに接続された複数本の電気接続線が設置され、且つ該ケーシングの内側に設置され且つ該第一の端部に挿設された光信号トランシーバーを含む光信号送受信素子と、
第二の側壁に設置され、該回路基板の第二の電気接続パッドに接続された信号線を有するＲＦ信号コネクタとを備えることを特徴とする前記パッシブ光ファイバーネットワーク装置。
【請求項１３】
該回路基板は、該ケーシングの第三の側壁の第二の穴から露出するホットプラグトランシーバーインタフェースをさらに含むことを特徴とする
請求項１２に記載のパッシブ光ファイバーネットワーク装置。
【請求項１４】
該回路基板は、該ケーシングの第三の側壁の第二の穴に露出するスモールフォームファクタープラガブルトランシーバー（ＳＦＰ：Ｓｍａｌｌ  ｆｏｒｍ−ｆａｃｔｏｒ  ｐｌｕｇｇａｂｌｅ  ｔｒａｎｓｃｅｉｖｅｒ）接続インタフェースを含むことを特徴とする
請求項１２に記載のパッシブ光ファイバーネットワーク装置。
【請求項１５】
該光信号送受信素子はシングルファイバー三方向光信号送受信素子（Ｔｒｉｐｌｅｘｅｒ）を含むことを特徴とする
請求項１２に記載のパッシブ光ファイバーネットワーク装置。
【請求項１６】
該光信号送受信素子はシングルファイバー双方向光信号送受信素子（Ｄｉｐｌｅｘｅｒ）を含むことを特徴とする
請求項１２に記載のパッシブ光ファイバーネットワーク装置。
【請求項１７】
該光信号トランシーバーはシングルモード光ファイバピグテールコネクタ（Ｐｉｇｔａｉｌ  Ｓｕｂｓｃｒｉｂｅｒ  Ｃｏｎｎｅｃｔｏｒ／Ｓｔａｎｄａｒｄ  Ｃｏｎｎｅｃｔｏｒ：ＳＣ）を含むことを特徴とする
請求項１２に記載のパッシブ光ファイバーネットワーク装置。
【請求項１８】
該ＲＦ信号コネクタは、該第二の側壁の複数の第三の穴にリベット留め可能な複数の円弧状の係合バンプをさらに含むことを特徴とする
請求項１２に記載のパッシブ光ファイバーネットワーク装置。
【請求項１９】
該ＲＦ信号コネクタは、該第二の側壁の複数の第三の穴にリベット留め可能な複数の係合バンプをさらに含むことを特徴とする
請求項１２に記載のパッシブ光ファイバーネットワーク装置。
【請求項２０】
該第一の側壁と該第二の側壁は同一の側壁であることを特徴とする
請求項１２に記載のパッシブ光ファイバーネットワーク装置。
【考案の詳細な説明】
【技術分野】
【０００１】
本実用新案はパッシブ光ファイバーネットワーク装置（ＰＯＮ：Ｐａｓｓｉｖｅ  ｏｐｔｉｃａｌ  ｎｅｔｗｏｒｋ  ｄｅｖｉｃｅ）に関し、特にスモールフォームファクタープラガブルトランシーバー（ＳＦＰ：Ｓｍａｌｌ  ｆｏｒｍ−ｆａｃｔｏｒ  ｐｌｕｇｇａｂｌｅ  ｔｒａｎｓｃｅｉｖｅｒ）接続インタフェースを備えたパッシブ光ファイバーネットワーク装置に関する。
【背景技術】
【０００２】
ギガビットパッシブ光ファイバーネットワーク（ＧＰＯＮ：Ｇｉｇａｂｉｔ  Ｐａｓｓｉｖｅ  Ｏｐｔｉｃａｌ  Ｎｅｔｗｏｒｋ）装置は、イーサネット伝送技術に基づくパッシブ光ネットワークであり、その標準がＩＴＵ−Ｔ  Ｇ．９８４に定められる。ＧＰＯＮシステムは基本的に光回線端末（ＯＬＴ：Ｏｐｔｉｃａｌ  Ｌｉｎｅ  Ｔｅｒｍｉｎａｌ）、光配信ネットワーク（ＯＤＮ：Ｏｐｔｉｃａｌ  Ｄｉｓｔｒｉｂｕｔｉｏｎ  Ｎｅｔｗｏｒｋ）及び光ネットワークユニット（ＯＮＵ：Ｏｐｔｉｃａｌ  Ｎｅｔｗｏｒｋ  Ｕｎｉｔ）から構成される。光配信ネットワークは、光ファイバーとパッシブ光スプリッターから構成され、構成の柔軟性が向上し、且つ給電問題が解消される。ＧＰＯＮはアップリンク１．２５Ｇｂｐｓ  ダウンリンク２．５Ｇｂｐｓ  双方向非対称レートをサポートすることができ、最大伝送距離が２０キロメートルに達することができ、各ＰＯＮに接続できるＯＮＵの数がほとんど１：３２である。光波長の使用に関しては、ＧＰＯＮは１３１０ｎｍと１４９０ｎｍの２つの波長を使用し、ここで１３１０ｎｍの波長がＯＮＵ側からＯＬＴ側に伝送されるアップリンクデータ又は音声を搬送し、１４９０ｎｍの波長がＯＬＴ側からＯＮＵ側に伝送されるダウンリンクデータ又は音声を搬送する。一方、ＧＰＯＮのアーキテクチャにより、そのダウンリンク伝送がブロードキャストの方式を採用し、ケーブルＴＶの伝送方式と同じであるため、１５５０ｎｍの波長をＣＡＴＶ  ＲＦ信号の伝送として使用して、ネットワークコンバージェンスを実現することができる。
【０００３】
従来のＧＰＯＮ装置はほぼケーシングを備え、該ケーシング内にプリント回路基板が設置され、且つプリント回路基板に複数の接点／ピン（ｐｉｎｓ）、例えば１ｘ２０のピンが設置され、前記複数の接点／ピンが別の装置のプリント回路基板にインストール／挿入され、該ＧＰＯＮ装置はさらに該プリント回路基板に設置された光送受信モジュール素子を備え、該光送受信モジュール素子がプリント回路基板を介して前記複数のピンに接続され、該光送受信モジュール素子に、ＧＰＯＮ装置のケーシングの外に延びて光信号を受信するためのシングルモード光ファイバピグテールコネクタ（Ｐｉｇｔａｉｌ  Ｓｕｂｓｃｒｉｂｅｒ  Ｃｏｎｎｅｃｔｏｒ／Ｓｔａｎｄａｒｄ  Ｃｏｎｎｅｃｔｏｒ：ＳＣ）が接続され、該光送受信モジュール素子に、ＲＦ信号線に接続されて該ＲＦ信号を送受信するための無線周波数（ＲＦ）光信号トランシーバーが接続される。
【０００４】
しかしながら、信号伝送のデータ量のニーズに伴い、初期のＩＴＵ−Ｔ  Ｇ．９８４（ＧＰＯＮ）標準の２．４８８ギガビット／秒（Ｇｂｉｔ  ／  ｓ）のダウンリンクレートと１．２４４  Ｇｂｉｔ／ｓのアップリンクレートからＩＥＥＥ  ８０２．３イーサネット標準（ＥＰＯＮ又はＧＥＰＯＮ）標準の１ギガビット／秒のアップリンク及びダウンリンクレートに進化し、高品質の画像データ伝送に１０ギガビット（１０  Ｇｂｐｓ）／秒の伝送量が必要である場合、従来の１ｘ２０ピンのデータ伝送が要求を満たしていなく、且つＧＰＯＮ装置が故障した場合、従来の前記複数のピンが別の装置のプリント回路基板に挿入されるため、メンテナンスが不便で時間がかかり、すぐに交換できない。また、従来のＧＰＯＮ装置のシングルモード光ファイバピグテールコネクタは該ＧＰＯＮのケーシングの外に延び、その延長の長さが固定され（又は一定の長さであり）、ユーザがインストールする時に、環境によって異なる長さのシングルモードファイバーピグテールコネクタを必要とする場合、別に延長ケーブルが接続される必要があり、信号の減衰とユーザーの不便を引き起こす。
【考案の概要】
【考案が解決しようとする課題】
【０００５】
したがって、本考案は従来のＧＰＯＮで発生する問題を解決できる革新的なＧＰＯＮデバイスを提供する。
【課題を解決するための手段】
【０００６】
本実用新案は、第一の穴を含むケーシングと、該ケーシング内に設置され、ホットプラグトランシーバーインタフェースが設置され且つ該第一の穴から外部に露出する回路基板と、該回路基板に設置され、該回路基板の複数の第一の電気接続パッドに接続された複数本の電気接続線が設置され、且つ該ケーシングの第一の側壁に設置された光信号トランシーバーを含む光信号送受信素子と、第二の側壁に設置され、該回路基板の第二の電気接続パッドに接続された信号線を有するＲＦ信号コネクタとを備えるパッシブ光ファイバーネットワーク装置を提供する。
【０００７】
パッシブ光ファイバーネットワーク装置は、第一の穴がある第一の側壁を含むケーシングと、該ケーシング内に設置された回路基板と、該第一の穴内に設置され、第一の端部が該ケーシング内に位置し、第二の端部が該ケーシングの外に突出する光信号コネクタソケットと、該回路基板に設置され、該回路基板の複数の第一の電気接続パッドに接続された複数本の電気接続線が設置され、且つ該ケーシングの内側に設置され且つ該第一の端部内に挿設された光信号トランシーバーを含む光信号送受信素子と、第二の側壁に設置され、該回路基板の第二の電気接続パッドに接続された信号線を有するＲＦ信号コネクタとを備える。
【図面の簡単な説明】
【０００８】
【図１】本実用新案のＧＰＯＮの斜視図である。
【図２】本実用新案のＧＰＯＮの分解斜視図である。
【図３】本実用新案のＧＰＯＮの上面図である。
【考案を実施するための形態】
【０００９】
以下の説明を添付の図面とともに読む場合、本実用新案の状態をよりよく理解でき、該添付図面の性質は、例示的であるが制限的ではないと見なされるべきである。該図面は必ずしも縮尺に従って描かれず、本実用新案の原理を強調する。
【００１０】
現在、例示的な実施例を説明する。他の実施例を別に又は代替的に使用することができる。スペースを節約し、又はより効果的に示すために、明らか又は不要な詳細を省略することができる。逆に、いくつかの実施例を実施するが全ての詳細を開示しない。
【００１１】
本実用新案はギガビットパッシブ光ネットワーク（ＧＰＯＮ：Ｇｉｇａｂｉｔ  Ｐａｓｓｉｖｅ  Ｏｐｔｉｃａｌ  Ｎｅｔｗｏｒｋ）装置、特に１０Ｇの伝送量を使用できるＧＰＯＮ装置を提供する。図１−図３に示すように、該ＧＰＯＮ装置１００はケーシング２を備え、該ケーシング２が電磁干渉を防止する機能を備え、該ケーシング２のサイズが例えば長さ２インチ（ｉｎｃｈ）、幅２インチ（ｉｎｃｈ）、高さ０．７インチ（ｉｎｃｈ）であり、ここで長さ、幅及び高さのサイズ範囲もそれぞれ１．４インチ〜５インチであり、該ケーシングの材質が金属、例えばステンレス鋼、鉄、銅、亜鉛又はニッケルを含む金属又は合金であり、該ケーシング２には、それぞれケーシング２の第一の側壁、第二の側壁、第三の側壁及び第四の側壁に設置された第一の穴２２、第二の穴２３、複数の第三の穴２４及び複数の第四の穴２５が設置され、該ケーシング２内にプリント回路板４が設置され、該プリント回路基板４の両側に２つの係止ブロック（図示せず）が設置され、前記複数の係止ブロックがそれぞれケーシング２の第三の側壁の前記第三の穴２４に挿設され、これにより、該プリント回路基板４が該ケーシング２に固定され、且つプリント回路基板４にホットプラグトランシーバーインタフェース４２が設置され、該ホットプラグトランシーバーインタフェース４２が例えばスモールフォームファクタープラガブルトランシーバー（ＳＦＰ：Ｓｍａｌｌ  ｆｏｒｍ−ｆａｃｔｏｒ  ｐｌｕｇｇａｂｌｅ  ｔｒａｎｓｃｅｉｖｅｒ）接続インタフェースであり、又は例えばＳＦＦ−８０８３仕様で要求される接続インタフェースであり、他の接続インタフェースが例えばＰａｄｄｌｅ  ｃａｒｄ接続インタフェースであり、ここで接続ポイントが２０つ又は３０設計されてもよく、又は他の接続インタフェースが例えばＵＳＢ、ＨＤＭＩ接続インタフェースタイプであり、該ケーシング２の第一の側壁に、該ホットプラグトランシーバーインタフェース４２から露出する第一の開口２２があり、ここで該ホットプラグトランシーバーインタフェース４２からケーシング２の側壁の底面までの距離がスモールフォームファクタープラガブルトランシーバー（ＳＦＰ：Ｓｍａｌｌ  ｆｏｒｍ−ｆａｃｔｏｒ  ｐｌｕｇｇａｂｌｅ  ｔｒａｎｓｃｅｉｖｅｒ）スロット（受信機）の仕様サイズを満たしている、又は上記Ｐａｄｄｌｅ  ｃａｒｄ、ＵＳＢ、ＨＤＭＩ接続インタフェースタイプの仕様サイズを満たし、該最適な距離もユーザのニーズに応じて設計されてもよく、本実施例ではＳＦＰスロットのみが例として挙げられる。
【００１２】
該プリント回路基板４に光信号送受信素子６、例えばシングルファイバー三方向光信号トランシーバーコンポーネント（Ｔｒｉｐｌｅｘｅｒ）又はシングルファイバー双方向光信号トランシーバーコンポーネント（Ｄｉｐｌｅｘｅｒ）が設置され、該光信号送受信素子６が該プリント回路基板４の複数の電気接続パッド４６に接続（溶接）された複数本（又は複数のグループ）の電気接続線６１を有し、該光信号送受信素子６に光信号伝送線６２が設置され、その一端が該光信号送受信素子６の本体に接続され、他端に光送受信機６４を有し該ケーシング２の第二の側壁の第二の穴２３に装設され、該二の穴２３に光信号コネクタソケット８が設置され、その光信号コネクタソケット８が該ケーシング２の側壁にロックされ、該光信号送受信機６４が該光信号コネクタソケット８の一端（ケーシング２の内側）に挿設され、光信号コネクタソケット８の他端（ケーシング２の外側）に外部システムの別の光伝送線コネクタ、例えばＳＣコネクタが接続されてもよい。該光信号送受信素子６は光信号送受信機６４からの光信号を受信し、それをデジタル信号に変換し、回路基板４内の金属線を介してホットプラグトランシーバーインタフェース４２に伝送し、他の外部システムに伝送することができ、該他の外部システムによって伝送されるデジタル信号も回路基板４のホットプラグトランシーバーインタフェース４２を介して光信号送受信素子６に伝送され、光信号送受信素子６はデジタル信号を光信号に変換して光信号送受信機６４を介して別の外部システムに伝送する。
【００１３】
また、無線周波数（ＲＦ：Ｒａｄｉｏ  Ｆｒｅｑｕｅｎｃｙ）コネクタ９は該ケーシング２の第四の側壁に設置され、且つ該ＲＦコネクタ９は第四の側壁の前記複数の第四の穴２５のうちの一つ（中央の丸い穴）を貫通し且つ電気接続パッド４６に電気的に接続（溶接）された信号線９２を有し、且つ該ＲＦコネクタ９の一端に、外部システムのＲＦ信号線を接続するためのねじ部９３を有し、ＲＦコネクタ９の別のコネクタが複数の係合バンプ９４を有し、前記複数の係合バンプ９４の形状が円弧形であり、前記複数の係合バンプ９４はケーシング２の側板にリベット留めで固着され、ここでリベット留め方式にて前記複数の第四の穴２５に挿入された係合バンプ９４の表面に圧力を印加（例えば打撃方式で）し、係合バンプ９４を変形させ、変形された係合バンプ９４の前縁部分のサイズ（幅と長さを含む）が第四の穴２５のサイズより大きくなり、さらに変形された係合バンプ９４はそれぞれ前記複数の第四の穴２５に係合される。該ＲＦコネクタ９は外部システムからの該ＲＦ信号線によって伝送されたＲＦ信号を受信し、回路基板４内の金属線を介してホットプラグトランシーバーインタフェース４２に伝送し、他の外部システムに伝送することができ、該他の外部システムによって伝送されるデジタル信号も回路基板４のホットプラグトランシーバーインタフェース４２を介してＲＦコネクタ９に伝送され、ＲＦコネクタ９によって別の外部システムに伝送される。
【００１４】
本実用新案のＧＰＯＮ装置は従来のＧＰＯＮ装置におけ１ｘ２０のピンをＳＦＰインタフェースに置き換え、ＧＰＯＮ装置の伝送データ量を従来の２．５  Ｇｂｉｔ／ｓを１０  Ｇｂｉｔ／ｓ以上に変更させ、且つ本実用新案をＳＦＰ接続インタフェースを介して別のシステムの回路基板のＳＦＰスロットに容易に装設することができ、さらにユーザはシステムを容易にアップグレード又はメンテナンス及び交換することができる。
【００１５】
本実用新案の実施例を示して説明したが、一般的な当業者は、本実用新案の原理及び精神から逸脱することなく、これらの実施形態に対して変更を行えることを理解できる。本実用新案の適用範囲は添付の実用新案登録請求の範囲及びその同等物によって限定される。本実用新案の実用新案登録請求の範囲は、請求された実用新案登録請求の範囲によって定義されるべきである。注意すべきものとして、単語「含む」は他の要素を除外せず、単語「一」は複数を除外しない。
【００１６】
特に明記しない限り、本明細書（実用新案登録請求の範囲を含む）に記載される全ての測定、値、レベル、位置、測定値、サイズ及びその他の仕様は近似であるが精確ではない。上記は、それに関連する機能且つそれの属する当業者と一致する合理的な範囲を有することを意図する。
【符号の説明】
【００１７】
１００−ＧＰＯＮ装置、２−ケーシング、２２−第一の穴、２３−第二の穴、２４−第三の穴、２５−第四の穴、４−プリント回路基板、６１−電気接続線、４２−ホットプラグトランシーバーインタフェース、６−光信号送受信素子、４６−電気接続パッド、６２−光信号伝送線、６４−光信号送受信機、８−光信号コネクタソケット、９−ＲＦ信号コネクタ、９２−信号線、９３−ねじ部、９４−係合バンプ
【図１】
0003227432.tif 000003
【図２】
0003227432.tif 000004
【図３】
0003227432.tif 000005
【手続補正書】
【提出日】令和2年2月14日(2020.2.14)
【手続補正１】
【補正対象書類名】実用新案登録請求の範囲
【補正対象項目名】全文
【補正方法】変更
【補正の内容】
【実用新案登録請求の範囲】
【請求項１】
パッシブ光ファイバーネットワーク装置であって、
第一の穴を含むケーシングと、
該ケーシング内に設置され、ホットプラグトランシーバーインタフェースが設置され且つ該第一の穴から露出する回路基板と、
該回路基板に設置され、該回路基板の複数の第一の電気接続パッドに接続された複数本の電気接続線が設置され、且つ該ケーシングの第二の側壁に設置された光信号トランシーバーを含む光信号送受信素子と、
該第二の側壁に設置され、該回路基板の第二の電気接続パッドに接続された信号線を有するＲＦ信号コネクタとを備えることを特徴とする前記パッシブ光ファイバーネットワーク装置。
【請求項２】
該光信号送受信素子は光信号伝送線を介して該光信号トランシーバーに接続されることを特徴とする請求項１に記載のパッシブ光ファイバーネットワーク装置。
【請求項３】
該ホットプラグトランシーバーインタフェースはスモールフォームファクタープラガブルトランシーバー（ＳＦＰ：Ｓｍａｌｌ  ｆｏｒｍ−ｆａｃｔｏｒ  ｐｌｕｇｇａｂｌｅ  ｔｒａｎｓｃｅｉｖｅｒ）接続インタフェースを含むことを特徴とする請求項１に記載のパッシブ光ファイバーネットワーク装置。
【請求項４】
該ケーシングは第一の側壁を有し、該第一の穴が該第一の側壁に位置することを特徴とする請求項１に記載のパッシブ光ファイバーネットワーク装置。
【請求項５】
該光信号送受信素子はシングルファイバー三方向光信号送受信素子（Ｔｒｉｐｌｅｘｅｒ）を含むことを特徴とする請求項１に記載のパッシブ光ファイバーネットワーク装置。
【請求項６】
該光信号送受信素子はシングルファイバー双方向光信号送受信素子（Ｄｉｐｌｅｘｅｒ）を含むことを特徴とする請求項１に記載のパッシブ光ファイバーネットワーク装置。
【請求項７】
第一の側壁の第二の穴に設置され、第一の端部が該ケーシングの内側に位置し、該光信号トランシーバーの設置に用いられ、第二の端部が該ケーシングの外側に位置し、外部システムの別の光伝送線コネクタに接続可能な光信号コネクタソケットをさらに備えることを特徴とする
請求項１に記載のパッシブ光ファイバーネットワーク装置。
【請求項８】
該光信号トランシーバーはシングルモード光ファイバピグテールコネクタ（Ｐｉｇｔａｉｌ  Ｓｕｂｓｃｒｉｂｅｒ  Ｃｏｎｎｅｃｔｏｒ／Ｓｔａｎｄａｒｄ  Ｃｏｎｎｅｃｔｏｒ：ＳＣ）を含むことを特徴とする
請求項１に記載のパッシブ光ファイバーネットワーク装置。
【請求項９】
該ＲＦ信号コネクタは、該第二の側壁の複数の第三の穴にリベット留め可能な複数の係合バンプをさらに含むことを特徴とする
請求項１に記載のパッシブ光ファイバーネットワーク装置。
【請求項１０】
該ＲＦ信号コネクタは、該第二の側壁の複数の第三の穴にリベット留め可能な複数の円弧状の係合バンプをさらに含むことを特徴とする
請求項１に記載のパッシブ光ファイバーネットワーク装置。
【請求項１１】
第一の側壁と該第二の側壁は同一の側壁であることを特徴とする
請求項１に記載のパッシブ光ファイバーネットワーク装置。
【請求項１２】
パッシブ光ファイバーネットワーク装置であって、
第一の穴を有する第一の側壁を含むケーシングと、
該ケーシング内に設置された回路基板と、
該第一の穴内に設置され、第一の端部が該ケーシング内に位置し、第二の端部が該ケーシングの外に突出する光信号コネクタソケットと、
該回路基板に設置され、該回路基板の複数の第一の電気接続パッドに接続された複数本の電気接続線が設置され、且つ該ケーシングの内側に設置され且つ該第一の端部に挿設された光信号トランシーバーを含む光信号送受信素子と、
第二の側壁に設置され、該回路基板の第二の電気接続パッドに接続された信号線を有するＲＦ信号コネクタとを備えることを特徴とする前記パッシブ光ファイバーネットワーク装置。
【請求項１３】
該回路基板は、該ケーシングの第三の側壁の第二の穴から露出するホットプラグトランシーバーインタフェースをさらに含むことを特徴とする
請求項１２に記載のパッシブ光ファイバーネットワーク装置。
【請求項１４】
該回路基板は、該ケーシングの第三の側壁の第二の穴に露出するスモールフォームファクタープラガブルトランシーバー（ＳＦＰ：Ｓｍａｌｌ  ｆｏｒｍ−ｆａｃｔｏｒ  ｐｌｕｇｇａｂｌｅ  ｔｒａｎｓｃｅｉｖｅｒ）接続インタフェースを含むことを特徴とする
請求項１２に記載のパッシブ光ファイバーネットワーク装置。
【請求項１５】
該光信号送受信素子はシングルファイバー三方向光信号送受信素子（Ｔｒｉｐｌｅｘｅｒ）を含むことを特徴とする
請求項１２に記載のパッシブ光ファイバーネットワーク装置。
【請求項１６】
該光信号送受信素子はシングルファイバー双方向光信号送受信素子（Ｄｉｐｌｅｘｅｒ）を含むことを特徴とする
請求項１２に記載のパッシブ光ファイバーネットワーク装置。
【請求項１７】
該光信号トランシーバーはシングルモード光ファイバピグテールコネクタ（Ｐｉｇｔａｉｌ  Ｓｕｂｓｃｒｉｂｅｒ  Ｃｏｎｎｅｃｔｏｒ／Ｓｔａｎｄａｒｄ  Ｃｏｎｎｅｃｔｏｒ：ＳＣ）を含むことを特徴とする
請求項１２に記載のパッシブ光ファイバーネットワーク装置。
【請求項１８】
該ＲＦ信号コネクタは、該第二の側壁の複数の第三の穴にリベット留め可能な複数の円弧状の係合バンプをさらに含むことを特徴とする
請求項１２に記載のパッシブ光ファイバーネットワーク装置。
【請求項１９】
該ＲＦ信号コネクタは、該第二の側壁の複数の第三の穴にリベット留め可能な複数の係合バンプをさらに含むことを特徴とする
請求項１２に記載のパッシブ光ファイバーネットワーク装置。
【請求項２０】
該第一の側壁と該第二の側壁は同一の側壁であることを特徴とする
請求項１２に記載のパッシブ光ファイバーネットワーク装置。
【手続補正書】
【提出日】令和2年6月1日(2020.6.1)
【手続補正１】
【補正対象書類名】実用新案登録請求の範囲
【補正対象項目名】全文
【補正方法】変更
【補正の内容】
【実用新案登録請求の範囲】
【請求項１】
パッシブ光ファイバーネットワーク装置であって、
第一の穴を含むケーシングと、
該ケーシング内に設置され、ホットプラグトランシーバーインタフェースが設置され且つ該第一の穴から露出する回路基板と、
該回路基板に設置され、該回路基板の複数の第一の電気接続パッドに接続された複数本の電気接続線が設置され、且つ該ケーシングの第二の側壁に設置された光信号トランシーバーを含む光信号送受信素子と、
該第二の側壁に設置され、該回路基板の第二の電気接続パッドに接続された信号線を有するＲＦ信号コネクタとを備えることを特徴とする前記パッシブ光ファイバーネットワーク装置。
【請求項２】
該光信号送受信素子は光信号伝送線を介して該光信号トランシーバーに接続されることを特徴とする請求項１に記載のパッシブ光ファイバーネットワーク装置。
【請求項３】
該ホットプラグトランシーバーインタフェースはスモールフォームファクタープラガブルトランシーバー（ＳＦＰ：Ｓｍａｌｌ  ｆｏｒｍ−ｆａｃｔｏｒ  ｐｌｕｇｇａｂｌｅ  ｔｒａｎｓｃｅｉｖｅｒ）接続インタフェースを含むことを特徴とする請求項１に記載のパッシブ光ファイバーネットワーク装置。
【請求項４】
該ケーシングは第一の側壁を有し、該第一の穴が該第一の側壁に位置することを特徴とする請求項１に記載のパッシブ光ファイバーネットワーク装置。
【請求項５】
該光信号送受信素子はシングルファイバー三方向光信号送受信素子（Ｔｒｉｐｌｅｘｅｒ）を含むことを特徴とする請求項１に記載のパッシブ光ファイバーネットワーク装置。
【請求項６】
該光信号送受信素子はシングルファイバー双方向光信号送受信素子（Ｄｉｐｌｅｘｅｒ）を含むことを特徴とする請求項１に記載のパッシブ光ファイバーネットワーク装置。
【請求項７】
該第一の側壁の第二の穴に設置され、第一の端部が該ケーシングの内側に位置し、該光信号トランシーバーの設置に用いられ、第二の端部が該ケーシングの外側に位置し、外部システムの別の光伝送線コネクタに接続可能な光信号コネクタソケットをさらに備えることを特徴とする
請求項４に記載のパッシブ光ファイバーネットワーク装置。
【請求項８】
該光信号トランシーバーはシングルモード光ファイバピグテールコネクタ（Ｐｉｇｔａｉｌ  Ｓｕｂｓｃｒｉｂｅｒ  Ｃｏｎｎｅｃｔｏｒ／Ｓｔａｎｄａｒｄ  Ｃｏｎｎｅｃｔｏｒ：ＳＣ）を含むことを特徴とする
請求項１に記載のパッシブ光ファイバーネットワーク装置。
【請求項９】
該ＲＦ信号コネクタは、該第二の側壁の複数の第三の穴にリベット留め可能な複数の係合バンプをさらに含むことを特徴とする
請求項１に記載のパッシブ光ファイバーネットワーク装置。
【請求項１０】
該ＲＦ信号コネクタは、該第二の側壁の複数の第三の穴にリベット留め可能な複数の円弧状の係合バンプをさらに含むことを特徴とする
請求項１に記載のパッシブ光ファイバーネットワーク装置。
【請求項１１】
該第一の側壁と該第二の側壁は同一の側壁であることを特徴とする
請求項４に記載のパッシブ光ファイバーネットワーク装置。
【請求項１２】
パッシブ光ファイバーネットワーク装置であって、
第一の穴を有する第一の側壁を含むケーシングと、
該ケーシング内に設置された回路基板と、
該第一の穴内に設置され、第一の端部が該ケーシング内に位置し、第二の端部が該ケーシングの外に突出する光信号コネクタソケットと、
該回路基板に設置され、該回路基板の複数の第一の電気接続パッドに接続された複数本の電気接続線が設置され、且つ該ケーシングの内側に設置され且つ該第一の端部に挿設された光信号トランシーバーを含む光信号送受信素子と、
第二の側壁に設置され、該回路基板の第二の電気接続パッドに接続された信号線を有するＲＦ信号コネクタとを備えることを特徴とする前記パッシブ光ファイバーネットワーク装置。
【請求項１３】
該回路基板は、該ケーシングの第三の側壁の第二の穴から露出するホットプラグトランシーバーインタフェースをさらに含むことを特徴とする
請求項１２に記載のパッシブ光ファイバーネットワーク装置。
【請求項１４】
該回路基板は、該ケーシングの第三の側壁の第二の穴に露出するスモールフォームファクタープラガブルトランシーバー（ＳＦＰ：Ｓｍａｌｌ  ｆｏｒｍ−ｆａｃｔｏｒ  ｐｌｕｇｇａｂｌｅ  ｔｒａｎｓｃｅｉｖｅｒ）接続インタフェースを含むことを特徴とする
請求項１２に記載のパッシブ光ファイバーネットワーク装置。
【請求項１５】
該光信号送受信素子はシングルファイバー三方向光信号送受信素子（Ｔｒｉｐｌｅｘｅｒ）を含むことを特徴とする
請求項１２に記載のパッシブ光ファイバーネットワーク装置。
【請求項１６】
該光信号送受信素子はシングルファイバー双方向光信号送受信素子（Ｄｉｐｌｅｘｅｒ）を含むことを特徴とする
請求項１２に記載のパッシブ光ファイバーネットワーク装置。
【請求項１７】
該光信号トランシーバーはシングルモード光ファイバピグテールコネクタ（Ｐｉｇｔａｉｌ  Ｓｕｂｓｃｒｉｂｅｒ  Ｃｏｎｎｅｃｔｏｒ／Ｓｔａｎｄａｒｄ  Ｃｏｎｎｅｃｔｏｒ：ＳＣ）を含むことを特徴とする
請求項１２に記載のパッシブ光ファイバーネットワーク装置。
【請求項１８】
該ＲＦ信号コネクタは、該第二の側壁の複数の第三の穴にリベット留め可能な複数の円弧状の係合バンプをさらに含むことを特徴とする
請求項１２に記載のパッシブ光ファイバーネットワーク装置。
【請求項１９】
該ＲＦ信号コネクタは、該第二の側壁の複数の第三の穴にリベット留め可能な複数の係合バンプをさらに含むことを特徴とする
請求項１２に記載のパッシブ光ファイバーネットワーク装置。
【請求項２０】
該第一の側壁と該第二の側壁は同一の側壁であることを特徴とする
請求項１２に記載のパッシブ光ファイバーネットワーク装置。